(57)【要約】【課題】通信回線の故障を正確に把握することで、効率的な衛星通信への切替をすること。【解決手段】第１通信回線の一方にある第１通信装置から、検出された該第１通信回線の第１故障情報を受信する第１故障情報受信部と、第１通信回線の他方にある第２通信装置から、検出された第１通信回線の第２故障情報を受信する第２故障情報受信部と、第１故障情報および第２故障情報に基づいて、第１通信回線において故障が発生したと判定する故障発生判定部と、第１通信回線において故障が発生したと判定した場合に、第１通信装置および第２通信装置に対して、第１通信回線から衛星通信を含む第２通信回線に切り替えるよう指示する回線切替指示部と、を備える。【選択図】  図１
2014241519.tif 000002
【特許請求の範囲】
【請求項１】
第１通信回線の一方にある第１通信装置から、検出された該第１通信回線の第１故障情報を受信する第１故障情報受信手段と、
前記第１通信回線の他方にある第２通信装置から、検出された前記第１通信回線の第２故障情報を受信する第２故障情報受信手段と、
前記第１故障情報および前記第２故障情報に基づいて、前記第１通信回線において故障が発生したと判定する故障発生判定手段と、
前記第１通信回線において故障が発生したと判定した場合に、前記第１通信装置および前記第２通信装置に対して、前記第１通信回線から衛星通信を含む第２通信回線に切り替えるよう指示する回線切替指示手段と、
を備える通信処理装置。
【請求項２】
前記第１通信回線はＩＰネットワークにおけるＳＩＰサーバと第１基地局との間の通信回線であって、前記第１通信装置が前記ＳＩＰサーバであり、前記第２通信装置が前記基地局であり、
前記第１故障情報受信手段は、前記ＳＩＰサーバが検出した前記第１通信回線の前記第１故障情報を、前記ＳＩＰサーバから受信し、
前記第２故障情報受信手段は、前記第１基地局が検出した前記第１通信回線の前記第２故障情報を、前記第１基地局から受信する、
請求項１に記載の通信処理装置。
【請求項３】
前記第２通信回線は、前記ＳＩＰサーバと接続する第２基地局と、前記第２基地局と衛星とを接続する第２無線衛星局と、前記衛星と前記第１基地局とを接続する第１無線衛星局とを経由する通信回線である、請求項２に記載の通信処理装置。
【請求項４】
前記回線切替指示手段は、前記第１通信回線を介した前記第１通信装置から前記第２通信装置への接続が前記第２通信回線への接続に変更されるよう、前記第１通信装置に設定し、前記第１通信回線を介した前記第２通信装置から前記第１通信装置への接続が前記第２通信回線への接続に変更されるよう、前記第２通信装置に設定する、請求項１乃至３のいずれか１項に記載の通信処理装置。
【請求項５】
前記回線切替指示手段は、さらに、前記第２通信回線の通信経路を前記第１通信装置および前記第２通信装置に通知する請求項１乃至４のいずれか１項に記載の通信処理装置。
【請求項６】
前記第１故障情報および前記第２故障情報の少なくともいずれかは、故障である可能性を示す情報または通信回線の切替指示を示す情報を含み、
前記故障発生判定手段は、前記故障である可能性を示す情報または前記通信回線の切替指示を示す情報を考慮して、さらに前記第１通信回線を衛星通信を含む前記第２通信回線に切り替えるか否かを判定する、請求項１乃至５のいずれか１項に記載の通信処理装置。
【請求項７】
第１通信回線の一方にある第１通信装置から、検出された該第１通信回線の第１故障情報を受信する第１故障情報受信ステップと、
前記第１通信回線の他方にある第２通信装置から、検出された前記第１通信回線の第２故障情報を受信する第２故障情報受信ステップと、
前記第１故障情報および前記第２故障情報に基づいて、前記第１通信回線において故障が発生したと判定する故障発生判定ステップと、
前記第１通信回線において故障が発生したと判定した場合に、前記第１通信装置および前記第２通信装置に対して、前記第１通信回線から衛星通信を含む第２通信回線に切り替えるよう指示する回線切替指示ステップと、
を含む通信処理装置の制御方法。
【請求項８】
第１通信回線の一方にある第１通信装置から、検出された該第１通信回線の第１故障情報を受信する第１故障情報受信ステップと、
前記第１通信回線の他方にある第２通信装置から、検出された前記第１通信回線の第２故障情報を受信する第２故障情報受信ステップと、
前記第１故障情報および前記第２故障情報に基づいて、前記第１通信回線において故障が発生したと判定する故障発生判定ステップと、
前記第１通信回線において故障が発生したと判定した場合に、前記第１通信装置および前記第２通信装置に対して、前記第１通信回線から衛星通信を含む第２通信回線に切り替えるよう指示する回線切替指示ステップと、
をコンピュータに実行させる通信処理装置の制御プログラム。
【請求項９】
ＳＩＰサーバと基地局との間の第１通信回線を含むＩＰネットワークと、
衛星無線を含む第２通信回線を含む衛星ネットワークと、
前記ＳＩＰサーバにより前記第１通信回線の故障を判定する第１故障判定手段と、
前記基地局により前記第１通信回線の故障を判定する第２故障判定手段と、
前記ＳＩＰサーバおよび前記基地局により前記第１通信回線が故障であると判定された場合に、前記第１通信回線を前記第２通信回線に切り替えて前記ＳＩＰサーバと前記基地局との間を前記第２通信回線を介して接続する通信回線切替手段と、
とを備える通信ネットワークシステム。
【請求項１０】
ＳＩＰサーバと基地局との間の第１通信回線を含むＩＰネットワークと、衛星無線を含む第２通信回線を含む衛星ネットワークと、を有する通信ネットワークの切替方法であって、
前記ＳＩＰサーバが、前記第１通信回線の故障を判定する第１故障判定ステップと、
前記基地局が、前記第１通信回線の故障を判定する第２故障判定ステップと、
前記ＳＩＰサーバおよび前記基地局により前記第１通信回線が故障であると判定された場合に、前記第１通信回線を前記第２通信回線に切り替えて前記ＳＩＰサーバと前記基地局との間を前記第２通信回線を介して接続する通信回線切替ステップと、
とを備える通信ネットワークの切替方法。
【発明の詳細な説明】
【技術分野】
【０００１】
本発明は、通信回線上に発生する故障を監視して、故障のある通信回線を衛星通信を介した通信回線に切り替える技術に関する。
【背景技術】
【０００２】
上記技術分野において、特許文献１には、検知した警報信号を電話網を介して外部警報監視端末に送信する場合、警報検知側にある電話網切替装置が、公衆交換電話網を介した接続が不可であると判断すると、衛星電話網に通信回線を切り替えて接続する技術が開示されている。
【先行技術文献】
【特許文献】
【０００３】
【特許文献１】特開２００９−２１２７３０号公報
【発明の概要】
【発明が解決しようとする課題】
【０００４】
しかしながら、上記文献に記載の技術では、警報検知側の接続不可判定があれば、公衆交換電話網から衛星電話網への切替を実施する。そのため、一時的な通信エラーがあった場合、あるいは、一時的な通信回線上の障害があった場合にも、衛星電話網への切替を行なうので、一時的な問題発生によっても頻繁に衛星電話網に切り替えるという誤作動を引き起こしてしまう。この結果、頻繁な衛星電話網への切り替え処理、および、衛星電話網の輻輳に起因する、通信遅延や通信エラーが発生することになる。
【０００５】
本発明の目的は、上述の課題を解決する技術を提供することにある。
【課題を解決するための手段】
【０００６】
上記目的を達成するため、本発明に係る通信処理装置は、
第１通信回線の一方にある第１通信装置から、検出された該第１通信回線の第１故障情報を受信する第１故障情報受信手段と、
前記第１通信回線の他方にある第２通信装置から、検出された前記第１通信回線の第２故障情報を受信する第２故障情報受信手段と、
前記第１故障情報および前記第２故障情報に基づいて、前記第１通信回線において故障が発生したと判定する故障発生判定手段と、
前記第１通信回線において故障が発生したと判定した場合に、前記第１通信装置および前記第２通信装置に対して、前記第１通信回線から衛星通信を含む第２通信回線に切り替えるよう指示する回線切替指示手段と、
を備える。
【０００７】
上記目的を達成するため、本発明に係る通信処理装置の制御方法は、
第１通信回線の一方にある第１通信装置から、検出された該第１通信回線の第１故障情報を受信する第１故障情報受信ステップと、
前記第１通信回線の他方にある第２通信装置から、検出された前記第１通信回線の第２故障情報を受信する第２故障情報受信ステップと、
前記第１故障情報および前記第２故障情報に基づいて、前記第１通信回線において故障が発生したと判定する故障発生判定ステップと、
前記第１通信回線において故障が発生したと判定した場合に、前記第１通信装置および前記第２通信装置に対して、前記第１通信回線から衛星通信を含む第２通信回線に切り替えるよう指示する回線切替指示ステップと、
を含む。
【０００８】
上記目的を達成するため、本発明に係る通信処理装置の制御プログラムは、
第１通信回線の一方にある第１通信装置から、検出された該第１通信回線の第１故障情報を受信する第１故障情報受信ステップと、
前記第１通信回線の他方にある第２通信装置から、検出された前記第１通信回線の第２故障情報を受信する第２故障情報受信ステップと、
前記第１故障情報および前記第２故障情報に基づいて、前記第１通信回線において故障が発生したと判定する故障発生判定ステップと、
前記第１通信回線において故障が発生したと判定した場合に、前記第１通信装置および前記第２通信装置に対して、前記第１通信回線から衛星通信を含む第２通信回線に切り替えるよう指示する回線切替指示ステップと、
をコンピュータに実行させる。
【０００９】
上記目的を達成するため、本発明に係る通信ネットワークシステムは、
ＳＩＰサーバと基地局との間の第１通信回線を含むＩＰネットワークと、
衛星無線を含む第２通信回線を含む衛星ネットワークと、
前記ＳＩＰサーバにより前記第１通信回線の故障を判定する第１故障判定手段と、
前記基地局により前記第１通信回線の故障を判定する第２故障判定手段と、
前記ＳＩＰサーバおよび前記基地局により前記第１通信回線が故障であると判定された場合に、前記第１通信回線を前記第２通信回線に切り替えて前記ＳＩＰサーバと前記基地局との間を前記第２通信回線を介して接続する通信回線切替手段と、
とを備える。
【００１０】
上記目的を達成するため、本発明に係る通信ネットワークの切替方法は、
ＳＩＰサーバと基地局との間の第１通信回線を含むＩＰネットワークと、衛星無線を含む第２通信回線を含む衛星ネットワークと、を有する通信ネットワークの切替方法であって、
前記ＳＩＰサーバが、前記第１通信回線の故障を判定する第１故障判定ステップと、
前記基地局が、前記第１通信回線の故障を判定する第２故障判定ステップと、
前記ＳＩＰサーバおよび前記基地局により前記第１通信回線が故障であると判定された場合に、前記第１通信回線を前記第２通信回線に切り替えて前記ＳＩＰサーバと前記基地局との間を前記第２通信回線を介して接続する通信回線切替ステップと、
とを備える。
【発明の効果】
【００１１】
本発明によれば、通信回線の故障を正確に把握することで、効率的な衛星通信への切替をすることができる。
【図面の簡単な説明】
【００１２】
【図１】本発明の第１実施形態に係る通信処理装置の構成を示すブロック図である。
【図２】本発明の第２実施形態に係る通信処理装置としての監視サーバを含む通信ネットワークシステムの構成を示すブロック図である。
【図３】本発明の第２実施形態に係る通信処理装置としての監視サーバを含む通信ネットワークシステムの動作手順を示す図である。
【図４】本発明の第２実施形態に係る通信処理装置としての監視サーバを含む通信ネットワークシステムの動作手順を示す図である。
【図５】本発明の第２実施形態に係る通信処理装置としての監視サーバを含む通信ネットワークシステムの動作手順を示す図である。
【図６】本発明の第２実施形態に係る通信処理装置としての監視サーバを含む通信ネットワークシステムの動作手順を示す図である。
【図７】本発明の第２実施形態に係る通信処理装置としての監視サーバを含む通信ネットワークシステムの動作手順を示す図である。
【図８Ａ】本発明の第２実施形態に係る通信処理装置としての監視サーバを含む通信ネットワークシステムの動作手順を示す図である。
【図８Ｂ】本発明の第２実施形態に係る通信処理装置としての監視サーバを含む通信ネットワークシステムの動作手順を示す図である。
【図９】本発明の第２実施形態に係るＳＩＰサーバの機能構成を示すブロック図である。
【図１０Ａ】本発明の第２実施形態に係る回線故障判別テーブルの構成を示す図である。
【図１０Ｂ】本発明の第２実施形態に係る加入者回線ＤＢの構成を示す図である。
【図１１】本発明の第２実施形態に係るＳＩＰサーバの処理手順を示すフローチャートである。
【図１２】本発明の第２実施形態に係る監視サーバの機能構成を示すブロック図である。
【図１３Ａ】本発明の第２実施形態に係る回線故障判定テーブルの構成を示す図である。
【図１３Ｂ】本発明の第２実施形態に係る通信回線ＤＢの構成を示す図である。
【図１４】本発明の第２実施形態に係る監視サーバの処理手順を示すフローチャートである。
【図１５】本発明の第２実施形態に係る基地局の機能構成を示すブロック図である。
【図１６】本発明の第２実施形態に係る回線切替テーブルの構成を示す図である。
【図１７】本発明の第２実施形態に係る基地局の処理手順を示すフローチャートである。
【図１８】本発明の第３実施形態に係る回線故障判定テーブルの構成を示す図である。
【発明を実施するための形態】
【００１３】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１４】
なお、本明細書で使用される文言「回線故障」は、通信装置間の通信路における回線切断を含む通信回線上の物理的故障やソフトウェアエラーを含む概念である。
【００１５】
［第１実施形態］
本発明の第１実施形態としての通信処理装置１００について、図１を用いて説明する。通信処理装置１００は、通信回線上に発生する故障を監視して、故障のある通信回線を衛星通信を介した通信回線に切り替える装置である。
【００１６】
図１に示すように、通信処理装置１００は、第１故障情報受信部１１０と、第２故障情報受信部１２０と、故障発生判定部１３０と、回線切替指示部１４０と、を含む。第１故障情報受信部１１０は第１通信回線１０１の一方にある第１通信装置１０３から、検出された第１通信回線１０１の第１故障情報を受信する。第２故障情報受信部１２０は、第１通信回線１０１の他方にある第２通信装置１０４から、検出された第１通信回線１０１の第２故障情報を受信する。故障発生判定部１３０は、第１故障情報および第２故障情報に基づいて、第１通信回線１０１において故障が発生したと判定する。回線切替指示部１４０は、第１通信回線１０１において故障が発生したと判定した場合に、第１通信装置１０３および第２通信装置１０４に対して、第１通信回線１０１から衛星通信を含む第２通信回線１０２に切り替えるよう指示する。
【００１７】
本実施形態によれば、通信回線の故障を正確に把握することで、効率的な衛星通信への切替をすることができる。
【００１８】
［第２実施形態］
次に、本発明の第２実施形態に係る通信処理装置としての監視サーバを含む通信ネットワークシステムについて説明する。本実施形態に係る通信ネットワークシステムにおいては、ＳＩＰ(Session Initiation Protocol)サーバと基地局とを結ぶＩＰ( Internet Protocol)ネットワークの通信回線における故障を、基地局とＳＩＰサーバとの両側から監視する。そして、ＳＩＰサーバと基地局とは、故障が見付かれば、それぞれ監視サーバに通知する。監視サーバは、同じ回線で双方向からの故障通知を受けると、回線故障発生と判定する。そして、監視サーバは、回線故障発生と判定した回線を衛星ネットワークの回線に切り替えるよう、ＳＩＰサーバと基地局とに指示する。
【００１９】
《技術概要》
近年、インターネットやスマートフォンの復旧に伴い、災害発生時の通信手段として電話以外の選択肢も見直されつつあるが、それらをあまり使用しない高齢者にとっては、電話は貴重な連絡手段であることから、災害時にも切れないネットワークを構成することが必要である。ところが、通信網が切断されてしまった場合には、サーバや基地局側の設定では何もできず、通信網が復旧されるのを待つしかなかった。また、災害時の場合には機器の修理に行くことが困難な場合も多く、そのため、長時間に渡って通信故障が発生し、大きな影響が出ることとなる。
【００２０】
そこで、通信網が切断されてしまった場合には、切断された部分の通信を自動的に判断し、無線方式に切り替え通信回線を確保、継続して通信を行う。すなわち、災害地で電話回線が切断した場合、その場にすぐ急行し、修理することは困難であると考えられることから、ＩＰネットワーク網の切断が起きた際に、それが発生した局のみを自動的に回線を衛星無線に切り替えることで、通信の切断を限りなく起こさないよう軽減する。また、上記の機能によって災害時以外にも予期せぬ機器故障による輻輳時に一時的にルートを切り替えたり、機器の交換作業の際のみ衛星無線に切り替えるといった使用も可能となる。
【００２１】
《通信ネットワークシステム》
図２〜図８を参照して、本実施形態の通信処理装置としての監視サーバ２４０を含む通信ネットワークシステム２００について説明する。
【００２２】
（システム構成）
図２は、本実施形態に係る通信処理装置としての監視サーバ２４０を含む通信ネットワークシステム２００の構成を示すブロック図である。なお、図２には、通信ネットワークシステム２００の全体がイメージできるように、各機能構成要素を１つで示しているが、実際のシステムにおいては同じ機能構成要素が多数存在し、複雑に接続している。また、互いに通信（通話）しようとしている２対の要素を、参照番号末尾に“Ａ”および“Ｂ”を付して示す。
【００２３】
図２の通信ネットワークシステム２００は、２台の端末２１０Ａおよび２１０Ｂと、端末２１０Ａ、２１０Ｂのそれぞれが在圏する２台の基地局２２０Ａおよび２２０Ｂと、を有する。さらに、通信ネットワークシステム２００は、２台の基地局２２０Ａ、２２０Ｂ間を接続して２台の端末２１０Ａ、２１０Ｂ間の通信を実現するＳＩＰサーバ２３０と、回線故障を含む通信状態を監視する監視サーバ２４０とを、有する。ＳＩＰサーバ２３０は、それぞれの基地局２２０Ａおよび２２０Ｂとの間の回線故障を監視して、故障があれば回線を識別する回線識別子（以下、ＩＤ）と共に監視サーバ２４０に通知する。例えば、基地局２２０Ｂは、在圏する端末２１０Ｂからの発呼あるいは端末２１０Ｂへの着呼の処理状態から回線故障を検出し、回線故障を検出すると回線ＩＤと共に監視サーバ２４０に通知する。
【００２４】
図２の通信ネットワークシステム２００は、さらに、基地局２２０Ａおよび２１０Ｂのそれぞれと無線通信が可能な２台の無線衛星局２５０Ａおよび２５０Ｂと、２台の無線衛星局２５０Ａ、２５０Ｂ間を接続する衛星２６０と、を有する。監視サーバ２４０は、ＳＩＰサーバ２３０からの回線故障通知と、例えば基地局２２０Ｂからの回線故障通知とが、同じ回線に対する故障通知であると判断すると当該回線の故障と判定して、ＳＩＰサーバ２３０と基地局２２０Ｂ間の回線を衛星２６０を経由する回線に切り替える。
【００２５】
図２では、ＳＩＰサーバ２３０と基地局２２０Ｂ間において、回線２０１が通常のＩＰネットワークの回線である。そして、監視サーバ２４０は、回線２０１に故障ありと判定すれば、ＳＩＰサーバ２３０と基地局２２０Ｂ間の回線２０１を衛星２６０を経由する回線２０２に切り替えて、通信を継続する。なお、ＳＩＰサーバ２３０と基地局２２０Ａ間の回線についても同様の監視および衛星回線への切替が行なわれる。
【００２６】
（動作手順）
図３は、本実施形態に係る通信処理装置としての監視サーバ２４０を含む通信ネットワークシステム２００の動作手順（Ｓ３００）を示す図である。図３は、通常時の通信状態を示している。通常時は、衛星無線網は使わず、固定網向けの機器を用いて通信を行う（Ｓ３１０）。また、ＳＩＰサーバ２３０および監視サーバ２４０は、それぞれＳＩＰサーバ２３０と基地局２２０Ａ、２２０Ｂ間の回線が正常に稼動しているか、確認を行っている（Ｓ３３０、Ｓ３４０）。監視サーバ２４０は、基地局２２０Ａ、２２０Ｂの在圏端末の通信状態からＳＩＰサーバ２３０と基地局２２０Ａ、２２０Ｂ間の回線故障を判別する。
【００２７】
図４は、本実施形態に係る通信処理装置としての監視サーバ２４０を含む通信ネットワークシステム２００の動作手順（Ｓ４００）を示す図である。図４は、ＳＩＰサーバ２３０と基地局２２０Ｂとの間で着信先の端末２１０Ｂへの回線が切断されたあるいは故障が発生し、例えば端末２１０Ａからの通信（通話）が不能になった場合を示す。ＳＩＰサーバ２３０および監視サーバ２４０は、それぞれ回線切断や故障を示す監視ＮＧ（Ｓ４３０、Ｓ４２０）を検出する。なお、監視サーバ２４０の監視ＮＧ（Ｓ４２０）は、基地局２２０Ｂからの在圏の端末２１０Ｂに関する通信結果の通知や、基地局２２０Ｂによる回線故障判別結果の通知により取得できる。
【００２８】
図５は、本実施形態に係る通信処理装置としての監視サーバ２４０を含む通信ネットワークシステム２００の動作手順（Ｓ５００）を示す図である。
【００２９】
ＳＩＰサーバ２３０も、判別した基地局２２０Ｂへの回線故障の情報を監視サーバ２４０へ送付する（Ｓ５３０）。監視サーバ２４０は、ＳＩＰサーバ２３０からの監視ＮＧ通知（Ｓ５３０）および自分の監視ＮＧ情報（Ｓ４２０）から、ＳＩＰサーバ２３０と基地局２２０Ｂ間の回線に故障があることと判定して、衛星２６０を使用する衛星無線回線への切替を決定する。
【００３０】
なお、２台のサーバ（ＳＩＰサーバ２３０および監視サーバ２４０）の監視で、回線故障を判定するのは、以下のような理由による。例えば、ＳＩＰサーバ２３０のみで回線故障を判定すると、一時的なネットワークの問題発生の可能性があることや、別回線に切替中の可能性などがあるため、ＳＩＰサーバ２３０だけの判定では正確な判定は困難である。また、監視サーバ２４０のみで回線故障を判定すると、基地局２２０Ａや２２０Ｂとの通信が正常な場合は監視サーバ２４０のみの判定で切替は可能である。しかしながら、基地局２２０Ａ、２２０Ｂとの通信が不通となった場合には、基地局２２０Ａ、２２０Ｂと監視サーバ２４０との間のネットワークの故障である可能性があり、監視サーバ２４０だけの判定では正確な判定は困難である。
【００３１】
図６は、本実施形態に係る通信処理装置としての監視サーバ２４０を含む通信ネットワークシステム２００の動作手順（Ｓ６００）を示す図である。図６において、監視サーバ２４０は、衛星２６０を使用する衛星無線回線への切替を行なうため、ＳＩＰサーバ２３０に対して、ＳＩＰサーバ２３０からの宛先の局データの設定を変更する（Ｓ６４０）。すなわち、正常時は、ＳＩＰサーバ２３０において端末２１０Ｂを宛先とする局データとしては基地局２２０Ｂの基地局番号が設定されている。図６においては、衛星無線回線への切替を行なうため、監視サーバ２４０からＳＩＰサーバ２３０に、端末２１０Ｂを宛先とする局データを無線衛星局２５０Ａに接続するよう変更する、基地局２２０Ｂの基地局番号を含む信号を送信する。なお、基地局番号とは、基地局ごとに一意に割り振られた番号である。
【００３２】
ＳＩＰサーバ２３０は、基地局２２０Ｂの基地局番号を含む設定変更（Ｓ６４０）を監視サーバ２４０から受信して、その基地局番号の基地局２２０Ｂの配下にいる加入者を検索して特定する。そして、特定された基地局２２０Ｂ配下の加入者に対して、その加入者を宛先とする通信を、基地局２２０Ｂではなく無線衛星局２５０Ａに接続するよう変更することを示す衛星無線フラグを立てる。なお、基地局２２０Ｂを示す元の局データは、回線故障の復旧後に使うため、書き換えずに保持する。衛星無線フラグＯＮにより、ＳＩＰサーバ２３０を経由する基地局２２０Ｂ配下の加入者に対する通信は、無線衛星局２５０Ａに転送するように設定を変更される。
【００３３】
図７は、本実施形態に係る通信処理装置としての監視サーバ２４０を含む通信ネットワークシステム２００の動作手順（Ｓ７００）を示す図である。図７は、回線故障のあった対向の基地局２２０Ｂの設定も無線衛星局２５０Ｂに向くよう信号を送信して、衛星２６０を経由するＳＩＰサーバ２３０と基地局２２０Ｂ間の回線を確立する状態を示す図である。監視サーバ２４０は、基地局２２０Ｂに対して、端末２１０ＢからのＳＩＰサーバ２３０を経由する通信（例えば、端末２１０Ａを相手とする通信）を無線衛星局２５０Ｂに向くように変更させる（Ｓ７２０）。
【００３４】
このように、監視サーバ２４０による図６および図７の設定によって、ＳＩＰサーバ２３０から衛星２６０を経由して基地局２２０Ｂに接続する衛星通信回線が確定する（７４０）。なお、ＳＩＰサーバ２３０から衛星２６０を経由して基地局２２０Ｂに接続する衛星回線の経路にある基地局や無線衛星局の選定は、監視サーバ２４０で一括して行なってもよいし、各機能構成部が接続先をそれぞれ選定するように構成してもよい。
【００３５】
図８Ａは、本実施形態に係る通信処理装置としての監視サーバ２４０を含む通信ネットワークシステム２００の動作手順（Ｓ８１０）を示す図である。図８Ａは、ＳＩＰサーバ２３０と基地局２２０Ｂ間の回線を衛星通信回線に切り替えた、端末２１０Ａから端末２１０Ｂへの端末間通信回線の経路を示している（Ｓ８１１）。
【００３６】
図８Ｂは、本実施形態に係る通信処理装置としての監視サーバ２４０を含む通信ネットワークシステム２００の動作手順（Ｓ８２０）を示す図である。図８Ｂは、ＳＩＰサーバ２３０と基地局２２０Ｂ間の回線を衛星通信回線に切り替えた、端末２１０Ｂから端末２１０Ａへの端末間通信回線の経路を示している（Ｓ８１２）。
【００３７】
なお、図８Ａと図８Ｂとは、同じ経路を逆に辿っているが、ＩＰネットワークおよび衛星ネットワークにより、別の経路が選択されてもよい。また、図７、図８Ａおよび図８Ｂにおいては、衛星通信回線の経路として、基地局２２０Ａを使用するように図示しているが、これに限定されず、ＳＩＰサーバ２３０から無線衛星局２５０Ａへの経路は他の基地局２２０を使用してもよい。
【００３８】
《ＳＩＰサーバの機能構成》
図９は、本実施形態に係るＳＩＰサーバ２３０の機能構成を示すブロック図である。
【００３９】
図９のＳＩＰサーバ２３０は、基地局２２０との間でＳＩＰに従う通信制御を行なうＳＩＰ通信制御部９０１を有する。ＳＩＰ通信制御部９０１は、加入者回線ＤＢ９０７を参照して、加入者への通信の接続先を選定する。接続エラー検出部９０２は、ＳＩＰ通信制御部９０１からの情報に基づいて基地局２２０との間の回線接続エラーを検出する。回線接続エラーの検出としては、例えば、ＳＩＰ通信制御部９０１から基地局２２０に送信した“ＩＮＶＩＴＥ”信号に対して、基地局２２０から“２００  ＯＫ”信号が返ってこない場合などがあるが、これに限定されない。回線故障判別部９０３は、接続エラー検出部９０２からの接続エラー通知を蓄積し、同じ回線において所定時間内に所定閾値以上の接続エラーが発生した場合に、その回線の故障と判別する（図１０Ａ参照）。なお、回線故障判別アルゴリズムは、本例に限定されない。回線故障通知部９０４は、回線故障判別部９０３が回線故障と判定した回線の情報を、通信相手の基地局番号と共に監視サーバ２４０に通知する。通信制御部９０５は、監視サーバ２４０との通信を制御する。通信制御部９０５の通信プロトコルは限定されない。
【００４０】
回線切替指示受信部９０６は、監視サーバ２４０からの故障した回線を衛星通信回線に切り替える指示を受信する。加入者回線ＤＢ９０７は、加入者に対応付けて、その加入者への通信をどの回線を経由して接続するかを格納するデータベースである（図１０Ｂ参照）。通常は、その加入者が配下である基地局の基地局番号が格納されている。さらに、基地局番号で示された基地局への回線故障の場合に衛星通信回線を使用することを示す衛星無線フラグを格納する。
【００４１】
このような構成により、通常、ＳＩＰサーバ２３０のＳＩＰ通信制御部９０１は、加入者回線ＤＢ９０７を参照して、加入者への通信をその加入者が配下である基地局に対し接続する。基地局への回線故障の場合、ＳＩＰサーバ２３０のＳＩＰ通信制御部９０１は、加入者回線ＤＢ９０７を参照して、加入者への通信を衛星通信回線を経由して接続する。
【００４２】
（回線故障判別テーブル）
図１０Ａは、本実施形態に係る回線故障判別テーブル９０３ａの構成を示す図である。回線故障判別テーブル９０３ａは、回線故障判別部９０３が通信の接続エラー情報から特定の回線故障を判別するために使用するテーブルである。
【００４３】
回線故障判別テーブル９０３ａは、通信相手の基地局を示す基地局番号１０１１に対応つけて、接続エラー回数１０１２と、接続エラー回数１０１２が所定時間内に所定閾値以上発生した場合に回線故障と判別した、回線故障フラグ１０１３と、を記憶する。
【００４４】
（加入者回線ＤＢ）
図１０Ｂは、本実施形態に係る加入者回線ＤＢ９０７の構成を示す図である。加入者回線ＤＢ９０７は、加入者に対応付けて、その加入者への通信をどの回線を経由して接続するかを格納するデータベースであり、ＳＩＰ通信制御部９０１が通信先への回線を選定するために使用する。なお、加入者回線ＤＢ９０７の構成は、図１０Ｂに限定されない。
【００４５】
加入者回線ＤＢ９０７は、通信相手を示す加入者アドレス１０２１に対応付けて、その加入者に接続するための相手基地局の基地局番号１０２２と、基地局への回線故障の場合の衛星通信回線切替を示す衛星無線フラグ１０２３と、を格納する。
【００４６】
《ＳＩＰサーバの処理手順》
図１１は、本実施形態に係るＳＩＰサーバ２３０の処理手順を示すフローチャートである。このフローチャートは、ＳＩＰサーバ２３０の動作を制御するＣＰＵがＲＡＭを使用して実行し、図９のＳＩＰサーバ２３０の機能構成部を実現する。図１１のフローチャートは、ＳＩＰサーバ２３０で外部からのアクセスまたは内部におけるイベント発生に応答してスタートする。なお、図１１には、ＳＩＰサーバ２３０の他の機能に関する処理手順は示していない。
【００４７】
ＳＩＰサーバ２３０は、ステップＳ１１１１において、基地局２２０からの“ＩＮＶＩＴＥ”信号の受信か否かを判定する。“ＩＮＶＩＴＥ”信号の受信でなければ、ＳＩＰサーバ２３０は、ステップＳ１１３１において、監視サーバ２４０からの回線切替指示の受信か否かを判定する。
【００４８】
“ＩＮＶＩＴＥ”信号の受信であれば、ＳＩＰサーバ２３０は、ステップＳ１１１３において、通信の宛先を表わす加入者アドレスの衛星無線フラグがＯＮか否かを判定する（図１０Ｂ参照）。衛星無線フラグがＯＦＦの場合、ＳＩＰサーバ２３０は、ステップＳ１１１５において、加入者アドレスに対応する基地局番号を取得する。そして、ＳＩＰサーバ２３０は、ステップＳ１１１７において、取得した基地局番号の基地局に対して、“ＩＮＶＩＴＥ”信号を送信する。ＳＩＰサーバ２３０は、ステップＳ１１１９において、基地局からの“２００  ＯＫ”信号の応答を待つ。“２００  ＯＫ”信号の応答があれば通信を継続するが、“２００  ＯＫ”信号の応答が無いと、ＳＩＰサーバ２３０は、ステップＳ１１２１において、回線の接続エラーを回線ＩＤに対応付けて記録する。
【００４９】
衛星無線フラグがＯＦＦの場合、ＳＩＰサーバ２３０は、ステップＳ１１２３において、加入者回線ＤＢ９０７から加入者アドレスに対応する衛星通信回線を取得する。少なくとも、無線衛星局２５０への回線情報を取得する。そして、ＳＩＰサーバ２３０は、ステップＳ１１２５において、取得した衛星通信回線に対して“ＩＮＶＩＴＥ”信号を送信する。
【００５０】
監視サーバ２４０からの回線切替指示の受信であれば、ＳＩＰサーバ２３０は、ステップＳ１１３３において、監視サーバ２４０から送信された回線切替すべき相手の基地局番号を取得して、加入者回線ＤＢ９０７から取得した基地局番号の基地局の配下の加入者を検索する。そして、ＳＩＰサーバ２３０は、ステップＳ１１３５において、加入者回線ＤＢ９０７内の検索した加入者に対して、衛星無線フラグを設定（ＯＮ）する。この衛星無線フラグがステップＳ１１１３において参照される。
【００５１】
なお、例えば、衛星通信回線によるＳＩＰサーバ２３０から基地局２２０Ｂとの間を衛星通信回線に切り替えた場合の、通信接続確認は次のように行なわれる。各構成要素間の“ＩＮＶＩＴＥ”と“２００  ＯＫ”とのやり取りから、基地局２２０Ｂから無線衛星局２５０Ｂへ“２００  ＯＫ”の応答があれば、ＳＩＰサーバ２３０には基地局２２０Ｂからの“ＡＣＫ”により通信接続確認が通知される。
【００５２】
《監視サーバの機能構成》
図１２は、本実施形態に係る監視サーバ２４０の機能構成を示すブロック図である。
【００５３】
図１２の監視サーバ２４０は、基地局２２０およびＳＩＰサーバ２３０との間の通信を制御する通信制御部１２０１を有する。なお、通信制御部１２０１の通信プロトコルは通信相手と整合していれば特に限定されない。基地局からの回線故障受信部１２０２は、通信制御部１２０１を介して基地局２２０から回線故障通知を受信する。なお、回線故障通知は、故障情報に限定されず、その情報から回線故障が判定可能な通信結果情報であってもよい。その場合は、回線故障はそれらの通信結果情報に基づいて,監視サーバ２４０が判別することになる。ＳＩＰサーバからの回線故障受信部１２０３は、通信制御部１２０１を介してＳＩＰサーバ２３０から回線故障通知を受信する。回線故障判定部１２０４は、基地局からの回線故障受信部１２０２が受信した回線故障情報と、ＳＩＰサーバからの回線故障受信部１２０３が受信した回線故障情報とに基づいて、ＳＩＰサーバ２３０と基地局２２０間の回線故障を判定する。なお、簡単な回線故障判定方法としては、ＳＩＰサーバ２３０と基地局２２０との両方から同じ回線の故障が通知されると、その回線の回線故障と判定する場合がある。しかし、この回線故障判定方法に限定されるものではない。例えば、ＳＩＰサーバ２３０と基地局２２０との回線故障情報の信頼性にそれぞれ重み付けをして組み合わせたり、さらに、回線使用頻度などを回線故障判定に加えてもよい。
【００５４】
通信回線ＤＢ１２０５は、所定の構成要素間、例えば、本例ではＳＩＰサーバ２３０と基地局２２０Ｂ間の複数の回線を格納する（図１３Ｂ参照）。衛星通信回線取得部１２０６は、回線故障判定部１２０４が回線故障と判定した回線について、通信回線ＤＢ１２０５を参照して通常回線から切り替える回線を取得する。本例においては、切替回線として衛星通信回線を取得する。ＳＩＰサーバへの回線切替通知部１２０７は、衛星通信回線取得部１２０６が取得した衛星通信回線に切り替えるため、ＳＩＰサーバ２３０へ回線切替を通知する。なお、回線切替通知には、切り替える回線の相手基地局番号が含まれる。さらに、衛星通信回線へ接続するための接続先や衛星通信回線の経路情報を含んでもよい。基地局への回線切替通知部１２０８は、衛星通信回線取得部１２０６が取得した衛星通信回線に切り替えるため、基地局２２０へ回線切替を通知する。なお、回線切替通知には、切り替える回線の相手無線衛星局番号が含まれる。さらに、衛星通信回線へ接続するための接続先や衛星通信回線の経路情報を含んでもよい。
【００５５】
（回線故障判定テーブル）
図１３Ａは、本実施形態に係る回線故障判定テーブル１２０４ａの構成を示す図である。回線故障判定テーブル１２０４ａは、回線故障判定部１２０４がＳＩＰサーバ２３０および基地局２２０からの回線故障情報に基づいて、特定の回線故障を判定するために使用される。
【００５６】
回線故障判定テーブル１２０４ａは、回線ＩＤ１３０１に対応付けて、その回線で接続される一方のＳＩＰサーバ２３０のアドレス１３０２と、その回線で接続される他方の基地局番号１３０３と、を記憶する。そして、回線故障判定テーブル１２０４ａは、ＳＩＰサーバ２３０からの回線故障通知１３０４と、基地局２２０からの回線故障通知１３０５と、回線故障通知１３０４と回線故障通知１３０５との基づく回線故障判定結果１３０６と、を記憶する。
【００５７】
（通信回線ＤＢ）
図１３Ｂは、本実施形態に係る通信回線ＤＢ１２０５の構成を示す図である。通信回線ＤＢ１２０５は、所定の構成要素間の複数の回線を格納する。なお、通信回線ＤＢ１２０５の構成は、図１３Ｂに限定されない。
【００５８】
通信回線ＤＢ１２０５は、構成要素間の通常回線１３２１に対応付けて、第１切替回線１３２２〜第ｎ切替回線１３２３と、本例で使用される衛星通信回線１３２４と、を格納する。
【００５９】
《監視サーバの処理手順》
図１４は、本実施形態に係る監視サーバ２４０の処理手順を示すフローチャートである。このフローチャートは、監視サーバ２４０の動作を制御するＣＰＵがＲＡＭを使用して実行し、図１２の監視サーバ２４０の機能構成部を実現する。図１４のフローチャートは、監視サーバ２４０で外部からのアクセスまたは内部におけるイベント発生に応答してスタートする。なお、図１２には、監視サーバ２４０の他の機能に関する処理手順は示していない。
【００６０】
監視サーバ２４０は、ステップＳ１４１１において、ＳＩＰサーバ２３０からの回線故障通知の受信か否かを判定する。ＳＩＰサーバ２３０からの回線故障通知の受信でなければ、監視サーバ２４０は、ステップＳ１４１１において、基地局２２０からの回線故障通知の受信か否かを判定する。
【００６１】
ＳＩＰサーバ２３０からの回線故障通知の受信であれば、監視サーバ２４０は、ステップＳ１４１３において、回線故障通知を記憶する。次に、監視サーバ２４０は、ステップＳ１４１５において、同じ回線の故障報告が対応する基地局２２０からもあったかを判定する。無かった場合には処理を終了する。一方、基地局２２０からの回線故障通知の受信であれば、監視サーバ２４０は、ステップＳ１４２３において、回線故障通知を記憶する。次に、監視サーバ２４０は、ステップＳ１４２５において、同じ回線の故障報告が対応するＳＩＰサーバ２３０からもあったかを判定する。無かった場合には処理を終了する。
【００６２】
ＳＩＰサーバ２３０および基地局２２０から、同じ回線の故障通知があった場合に、監視サーバ２４０は、ステップＳ１４３１において、回線故障と判定する。次に、監視サーバ２４０は、ステップＳ１４３３において、故障した回線と切り替える他の通信回線を通信回線ＤＢ１２０５から取得する。本例では、衛星通信回線を取得する。そして、監視サーバ２４０は、ステップＳ１４３５において、故障した回線両端のＳＩＰサーバ２３０および基地局２２０に回線切替を通知する。なお、ＳＩＰサーバ２３０への回線切替通知には回線先の基地局番号あるいは切り替える衛星通信回線の情報が含まれる。また、基地局２２０への回線切替通知には無線衛星局番号などの衛星通信回線の情報が含まれる。
【００６３】
《基地局の機能構成》
図１５は、本実施形態に係る基地局２２０の機能構成を示すブロック図である。
【００６４】
図１５の基地局２２０は、配下の端末（無線通信の場合は在圏端末）２１０との間のＳＩＰ通信を制御するＳＩＰ通信制御部１５０１を有する。ＩＮＶＩＴＥ検出部１５０２は、端末２１０からの“ＩＮＶＩＴＥ”信号を検出する。ＯＫ信号送信部１５０３は、ＩＮＶＩＴＥ検出に応答して“２００  ＯＫ”信号を対応する端末２１０に送信する。ＩＮＶＩＴＥ送信部１５０４は、ＩＮＶＩＴＥ検出に応答して、通常回線の場合はＳＩＰサーバ２３０に対して“ＩＮＶＩＴＥ”信号を送信し、無線通信回線の場合は無線衛星局２５０に対して“ＩＮＶＩＴＥ”信号を送信する。ＳＩＰ通信制御部１５０５は、ＳＩＰサーバ２３０および無線衛星局２５０とのＳＩＰ通信を制御する。
【００６５】
ＯＫ信号受信部１５０６は、ＳＩＰサーバ２３０または無線衛星局２５０からの、“ＩＮＶＩＴＥ”信号に応答する“２００  ＯＫ”信号を受信する。回線故障判別部１５０７は、ＯＫ信号受信部１５０６による“２００  ＯＫ”信号の受信が所定時間経過しても無い場合に、回線故障と判別する。なお、実際には、“ＩＮＶＩＴＥ”信号の送信を数回繰り返しても応答が無い場合を回線故障と想定する。回線故障通知部１５０８は、回線故障判別部１５０７が回線故障と判別した場合に、その旨を監視サーバ２４０に通知する。通信制御部１５０９は、監視サーバ２４０との通信を制御する。なお、通信制御部１５０９の通信プロトコルは通信相手と整合していれば特に限定されない。
【００６６】
回線切替指示受信部１５１０は、通信制御部１５０９を介して、監視サーバ２４０からの衛星通信回線への回線切替指示を受信する。なお、回線切替指示情報には、切り替えた回線における接続先、本例では無線衛星局２５０の番号あるいは衛星通信回路の経路情報が含まれてよい。回線切替指示受信部１５１０で受信した回線切替のための接続先である無線衛星局２５０の情報はＩＮＶＩＴＥ送信部１５０４に送られて、配下の端末２１０からの“ＩＮＶＩＴＥ”信号を受けて無線衛星局２５０に“ＩＮＶＩＴＥ”信号を送信する。
【００６７】
ＡＣＫ信号転送部１５１１は、通信相手の端末との全通信経路の接続が確認された場合の“ＡＣＫ”信号を発呼した端末２１０に転送する。データ送受信部１５１２は、全通信経路の接続が確認された回線を使用したデータ送受信を行なう。
【００６８】
（回線切替テーブル）
図１６は、本実施形態に係る回線切替テーブル１６００の構成を示す図である。回線切替テーブル１６００は、回線故障判別部１５０７や回線切替指示受信部１５１０などが使用するためのテーブルである。
【００６９】
回線切替テーブル１６００は、回線接続するＳＩＰサーバアドレス１６０１に対応付けて、接続エラー回数１６０２と、所定時間内の所定閾値以上の接続エラーが起こった場合に、監視サーバ２４０に通知する回線故障通知１６０３と、を記憶する。さらに、回線切替テーブル１６００は、切替通信回線１６０４として、本例では衛星通信回線、少なくとも無線衛星局２５０の番号を記憶する。
【００７０】
《基地局の処理手順》
図１７は、本実施形態に係る基地局２２０の処理手順を示すフローチャートである。このフローチャートは、基地局２２０の動作を制御するＣＰＵがＲＡＭを使用して実行し、図１５の基地局２２０の機能構成部を実現する。図１７のフローチャートは、基地局２２０で外部からのアクセスまたは内部におけるイベント発生に応答してスタートする。なお、図１７には、基地局２２０の他の機能に関する処理手順は示していない。
【００７１】
基地局２２０は、ステップＳ１７１１において、配下の端末２１０からの発呼の受信か否かを判定する。端末２１０の発呼の受信でなければ、基地局２２０は、ステップＳ１７３１において、監視サーバ２４０からの回線切替指示の受信か否かを判定する。
【００７２】
端末２１０の発呼の受信であれば、基地局２２０は、ステップＳ１７１３において、回線切替が設定されているか否かを判定する。回線切替の設定が無ければ、基地局２２０は、ステップＳ１７１５において、“ＩＮＶＩＴＥ”信号をＳＩＰサーバ２３０に送信する。そして、基地局２２０は、ステップＳ１７１７において、ＳＩＰサーバ２３０からの“２００  ＯＫ”信号の返答を待つ。“２００  ＯＫ”信号の返答があれば通信を継続する。
【００７３】
基地局２２０は、ステップＳ１７１９において、“２００  ＯＫ”信号応答無しのタイムアウトを判定する。タイムアウトになれば、基地局２２０は、ステップＳ１７２１において、回線の接続エラーをカウントアップする。次に、基地局２２０は、ステップＳ１７２３において、接続エラーの回数が閾値Ｔｈを超えるか否かを判定する。接続エラーの回数が閾値Ｔｈを超えていれば、基地局２２０は、ステップＳ１７２５において、回線故障を監視サーバ２４０に通知する。
【００７４】
ステップＳ１７１３に判定で回線切替の設定が無ければ、基地局２２０は、ステップＳ１７２７において、“ＩＮＶＩＴＥ”信号を無線衛星局２５０に送信する。
【００７５】
監視サーバ２４０からの回線切替指示の受信であれば、基地局２２０は、ステップＳ１７３３において、回線切替を設定する。本例では、ＳＩＰサーバ２３０への回線接続を無線衛星局２５０に切り替えて、衛星通信回線を経由してＳＩＰサーバ２３０に接続する。
【００７６】
本実施形態によれば、通信回線の故障をＳＩＰサーバと監視サーバによる２重監視により正確に把握することで、効率的な衛星通信への切替をすることができる。
【００７７】
例えば、接続が途切れた端末を自動で認識し、短時間での切替が可能となる。すなわち、基地局等の重要な設備についてはある程度、代替設備を備えることは可能であるが、電話線やネットワーク線まで含めた全ての設備に対して対策することは困難である。万が一、立ち入りできない場所が切断した場合には、修理にもいけず長時間のサービス停止となり得る。しかしながら、常時衛星通信を介したネットワークを使い続けることは、コスト面や品質面から考えると困難である。そのため、サーバ側で正確に回線故障を自動認識して衛星通信切り替えることで、両方の要求を満たすことが可能となる。
【００７８】
［第３実施形態］
次に、本発明の第３実施形態に係る通信処理装置としての監視サーバを含む通信ネットワークシステムについて説明する。本実施形態に係る監視サーバは、上記第２実施形態と比べると、ＳＩＰサーバや基地局が回線故障を通知するばかりでなく、故障である可能性を示す情報または通信回線の切替指示を示す情報を通知するので、それらの情報を考慮してする点で異なる。その他の構成および動作は、第２実施形態と同様であるため、同じ構成および動作については同じ符号を付してその詳しい説明を省略する。
【００７９】
（回線故障判定テーブル）
図１８は、本実施形態に係る回線故障判定テーブル１８００の構成を示す図である。回線故障判定テーブル１８００は、図１２の回線故障判定部１２０４がＳＩＰサーバ２３０および基地局２２０からの回線故障情報に基づいて、特定の回線故障を判定するために使用される。
【００８０】
回線故障判定テーブル１８００は、図１３Ａの回線故障判定テーブル１２０４ａに加えて、回線故障に限定されないＳＩＰサーバからの情報通知１８１４と、回線故障に限定されない基地局からの情報通知１８１５と、を記憶する。そして、これら両方の情報通知１８１４および１８１５を組み合わせて、回線故障と判断して回線変更を行なう回線変更条件１８１６を記憶する。
【００８１】
一方、回線故障判定テーブル１８００は、回線故障などの回線状態に限定されないＳＩＰサーバや基地局などからの回線変更要求１８１７を記憶する。例えば、ユーザから速度や費用よりも端末を安定的に使用したい要求がある場合、あるいは、回線のハードウェアやソフトウェアの定期検査や更新などで一次的に回線ストップをする場合などに、回線変更を要求する。
【００８２】
そして、回線故障判定テーブル１８００は、監視サーバ２４０がこれら情報に基づいて判定した回線変更判定結果１８１８を記憶する。
【００８３】
本実施形態によれば、監視サーバの、監視ＮＧとする条件を変えることで、ユーザの要求に合わせた様々なニーズに対応可能である。例えば、回線切断ではないが、一時的に回線を切り替える必要がある際にも使用可能である。
【００８４】
［他の実施形態］
なお、上記実施形態においては、ＳＩＰサーバと基地局とがそれぞれ回線故障を判別して、監視サーバに通知する構成を示したが、本発明は上記構成に限定されない。例えば、ＳＩＰサーバや基地局は、通信結果を監視サーバに逐次報告し、監視サーバにおいてそれら通信結果の履歴から回線故障を判定してもよい。
【００８５】
また、実施形態を参照して本発明を説明したが、本願発明は上記実施形態に限定されるものではない。本発明の構成や詳細には、本発明のスコープ内で当業者が理解し得る様々な変更をすることができる。また、それぞれの実施形態に含まれる別々の特徴を如何様に組み合わせたシステムまたは装置も、本発明の範疇に含まれる。
【００８６】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされる制御プログラム、あるいはその制御プログラムを格納した媒体、その制御プログラムをダウンロードさせるＷＷＷ(World Wide Web)サーバも、本発明の範疇に含まれる。特に、少なくとも、上述した実施形態に含まれる処理ステップをコンピュータに実行させる制御プログラムを格納した非一時的コンピュータ可読媒体（non-transitory computer readable medium）は本発明の範疇に含まれる。
【００８７】
［実施形態の他の表現］
上記の実施形態の一部または全部は、以下の付記のようにも記載されうるが、以下には限られない。
（付記１）
第１通信回線の一方にある第１通信装置から、検出された該第１通信回線の第１故障情報を受信する第１故障情報受信手段と、
前記第１通信回線の他方にある第２通信装置から、検出された前記第１通信回線の第２故障情報を受信する第２故障情報受信手段と、
前記第１故障情報および前記第２故障情報に基づいて、前記第１通信回線において故障が発生したと判定する故障発生判定手段と、
前記第１通信回線において故障が発生したと判定した場合に、前記第１通信装置および前記第２通信装置に対して、前記第１通信回線から衛星通信を含む第２通信回線に切り替えるよう指示する回線切替指示手段と、
を備える通信処理装置。
（付記２）
前記第１通信回線はＩＰネットワークにおけるＳＩＰサーバと第１基地局との間の通信回線であって、前記第１通信装置が前記ＳＩＰサーバであり、前記第２通信装置が前記基地局であり、
前記第１故障情報受信手段は、前記ＳＩＰサーバが検出した前記第１通信回線の前記第１故障情報を、前記ＳＩＰサーバから受信し、
前記第２故障情報受信手段は、前記第１基地局が検出した前記第１通信回線の前記第２故障情報を、前記第１基地局から受信する、
付記１に記載の通信処理装置。
（付記３）
前記第２通信回線は、前記ＳＩＰサーバと接続する第２基地局と、前記第２基地局と衛星とを接続する第２無線衛星局と、前記衛星と前記第１基地局とを接続する第１無線衛星局とを経由する通信回線である、付記２に記載の通信処理装置。
（付記４）
前記回線切替指示手段は、前記第１通信回線を介した前記第１通信装置から前記第２通信装置への接続が前記第２通信回線への接続に変更されるよう、前記第１通信装置に設定し、前記第１通信回線を介した前記第２通信装置から前記第１通信装置への接続が前記第２通信回線への接続に変更されるよう、前記第２通信装置に設定する、付記１乃至３のいずれか１項に記載の通信処理装置。
（付記５）
前記回線切替指示手段は、さらに、前記第２通信回線の通信経路を前記第１通信装置および前記第２通信装置に通知する付記１乃至４のいずれか１項に記載の通信処理装置。
（付記６）
前記第１故障情報および前記第２故障情報の少なくともいずれかは、故障である可能性を示す情報または通信回線の切替指示を示す情報を含み、
前記故障発生判定手段は、前記故障である可能性を示す情報または前記通信回線の切替指示を示す情報を考慮して、さらに前記第１通信回線を衛星通信を含む前記第２通信回線に切り替えるか否かを判定する、付記１乃至５のいずれか１項に記載の通信処理装置。
（付記７）
第１通信回線の一方にある第１通信装置から、検出された該第１通信回線の第１故障情報を受信する第１故障情報受信ステップと、
前記第１通信回線の他方にある第２通信装置から、検出された前記第１通信回線の第２故障情報を受信する第２故障情報受信ステップと、
前記第１故障情報および前記第２故障情報に基づいて、前記第１通信回線において故障が発生したと判定する故障発生判定ステップと、
前記第１通信回線において故障が発生したと判定した場合に、前記第１通信装置および前記第２通信装置に対して、前記第１通信回線から衛星通信を含む第２通信回線に切り替えるよう指示する回線切替指示ステップと、
を含む通信処理装置の制御方法。
（付記８）
第１通信回線の一方にある第１通信装置から、検出された該第１通信回線の第１故障情報を受信する第１故障情報受信ステップと、
前記第１通信回線の他方にある第２通信装置から、検出された前記第１通信回線の第２故障情報を受信する第２故障情報受信ステップと、
前記第１故障情報および前記第２故障情報に基づいて、前記第１通信回線において故障が発生したと判定する故障発生判定ステップと、
前記第１通信回線において故障が発生したと判定した場合に、前記第１通信装置および前記第２通信装置に対して、前記第１通信回線から衛星通信を含む第２通信回線に切り替えるよう指示する回線切替指示ステップと、
をコンピュータに実行させる通信処理装置の制御プログラム。
（付記９）
ＳＩＰサーバと基地局との間の第１通信回線を含むＩＰネットワークと、
衛星無線を含む第２通信回線を含む衛星ネットワークと、
前記ＳＩＰサーバにより前記第１通信回線の故障を判定する第１故障判定手段と、
前記基地局により前記第１通信回線の故障を判定する第２故障判定手段と、
前記ＳＩＰサーバおよび前記基地局により前記第１通信回線が故障であると判定された場合に、前記第１通信回線を前記第２通信回線に切り替えて前記ＳＩＰサーバと前記基地局との間を前記第２通信回線を介して接続する通信回線切替手段と、
とを備える通信ネットワークシステム。
（付記１０）
ＳＩＰサーバと基地局との間の第１通信回線を含むＩＰネットワークと、衛星無線を含む第２通信回線を含む衛星ネットワークと、を有する通信ネットワークの切替方法であって、
前記ＳＩＰサーバが、前記第１通信回線の故障を判定する第１故障判定ステップと、
前記基地局が、前記第１通信回線の故障を判定する第２故障判定ステップと、
前記ＳＩＰサーバおよび前記基地局により前記第１通信回線が故障であると判定された場合に、前記第１通信回線を前記第２通信回線に切り替えて前記ＳＩＰサーバと前記基地局との間を前記第２通信回線を介して接続する通信回線切替ステップと、
とを備える通信ネットワークの切替方法。
【図１】
2014241519.tif 000003
【図２】
2014241519.tif 000004
【図３】
2014241519.tif 000005
【図４】
2014241519.tif 000006
【図５】
2014241519.tif 000007
【図６】
2014241519.tif 000008
【図７】
2014241519.tif 000009
【図８Ａ】
2014241519.tif 000010
【図８Ｂ】
2014241519.tif 000011
【図９】
2014241519.tif 000012
【図１０Ａ】
2014241519.tif 000013
【図１０Ｂ】
2014241519.tif 000014
【図１１】
2014241519.tif 000015
【図１２】
2014241519.tif 000016
【図１３Ａ】
2014241519.tif 000017
【図１３Ｂ】
2014241519.tif 000018
【図１４】
2014241519.tif 000019
【図１５】
2014241519.tif 000020
【図１６】
2014241519.tif 000021
【図１７】
2014241519.tif 000022
【図１８】
2014241519.tif 000023